(57)【要約】      （修正有）【課題】ねじの脱落を防止して、ねじの取り付け及び取り外し作業を効率良く実行可能とするねじ保持具及びそれを備えたドライバビットを提供する。【解決手段】ねじ保持具１０は、ドライバ軸体２に固定されるスプリング固定部材１２と、スプリング固定部材にスプリング１１を介して連結され軸方向に移動自在な摺動リング部材１３と、摺動リング部材に対向するようドライバ軸体に固定される固定リング部材１４と、摺動リング部材と固定リング部材との間に外嵌され軸方向に移動自在且つ回転自在に設けられるアーム支持部材１５と、アーム支持部材に固定され先端近傍がねじに当接しねじを保持する複数のアーム部材１６と、を具備し、アーム部材は、アーム支持部材からドライバ軸体の径方向外側に向かって延出し係合刃の方向の斜め内側に向かって湾曲し更に逆方向に湾曲しておりねじが締め込まれる被締結物に当接し先端近傍が外側に拡張する。【選択図】図２
0003234111.tif 000002
【実用新案登録請求の範囲】
【請求項１】
先端に係合刃が形成されているドライバ軸体に固定されるスプリング固定部材と、
前記スプリング固定部材にスプリングを介して連結され前記スプリング固定部材の前記係合刃の方向の前記ドライバ軸体に外嵌されて前記ドライバ軸体の軸方向に移動自在な摺動リング部材と、
前記摺動リング部材に対向するよう前記ドライバ軸体に固定される固定リング部材と、
前記摺動リング部材と前記固定リング部材との間の前記ドライバ軸体に外嵌され前記ドライバ軸体の軸方向に移動自在且つ回転自在に設けられるアーム支持部材と、
前記アーム支持部材に固定され先端近傍がねじの頭部に当接して前記ねじを保持する複数のアーム部材と、を具備し、
前記アーム部材は、前記アーム支持部材から前記ドライバ軸体の径方向外側に向かって延出し前記係合刃の方向の斜め内側に向かって湾曲し更に逆方向に湾曲しており前記ねじが締め込まれる被締結物に当接して前記先端近傍が外側に拡張することを特徴とするねじ保持具。
【請求項２】
前記係合刃の方向の端部が開口しており前記スプリング固定部材の方向から前記アーム部材に取り外し自在に外嵌されるカバー部材と、
前記ドライバ軸体に固定され前記カバー部材を着脱自在に保持するカバー支持部材と、を具備することを特徴とする請求項１に記載のねじ保持具。
【請求項３】
一端側に円柱状で先端に前記係合刃を有する前記ドライバ軸体が形成されて前記ねじ保持具が装着され、
他端側が六角柱状に形成され電動ドライバのビット支持部に嵌着されることを特徴とする請求項１または請求項２に記載のねじ保持具を備えたドライバビット。
【考案の詳細な説明】
【技術分野】
【０００１】
本考案は、ドライバ用のねじ保持具及びそれを備えたドライバビットに関する。
【背景技術】
【０００２】
従来、ねじ締め作業中にドライバの尖端からねじが脱落することを防止するため、ドライバに、ねじを保持するねじ保持具を設けることが知られている。
【０００３】
例えば特許文献１には、ドライバ軸挿通用の穴が開口しているドライバー挿入部と、ドライバー挿入部から伸びている一対の腕部と、一対の腕部に外嵌する締め付け部材と、を有するドライバー用ネジ保持具が開示されている。一対の腕部の端部には、両端面が対向するよう挟持部が形成されており、挟持部は、締め付け部材を長手方向にスライドすることにより開閉する。この挟持部により、ドライバの尖端に係合するねじを挟持することができる。
【０００４】
また特許文献２には、電動回転工具の回転軸に装着されるスクリュードライバ用ビットであって、締め付け時にねじがビットから脱落しないよう案内筒が設けられた案内筒付きスクリュードライバ用ビットが開示されている。案内筒は、金属製の円筒体により形成され、ビット本体の先端部分に回転のみ自在に被嵌され、締め付けるねじの頭部が遊嵌する内径を有する。
【先行技術文献】
【特許文献】
【０００５】
【特許文献１】特開２０１９−１８８４７８号公報
【特許文献２】実開平０４−９２７７号公報
【考案の概要】
【考案が解決しようとする課題】
【０００６】
しかしながら、上記した従来技術のねじ保持具では、ねじの脱落を防止し、且つ安全な作業を効率良く実行可能とするために改善すべき点があった。
【０００７】
具体的には、特許文献１に開示された従来技術のように、締め付け部材を長手方向にスライドさせて挟持部を開閉しドライバの尖端に係合するねじを挟持する構成では、締め付け部材のスライド作業が容易ではなかった。
【０００８】
例えば、ねじをドライバの尖端に保持する際には、ねじとドライバを手で押さえて締め付け部材をスライドさせる必要があるので、この作業中においてねじが脱落してしまう恐れがあった。
【０００９】
また、ねじを締め付ける作業においても、締め付け部材をスライドさせてねじを挟持する挟持部を開く必要があり、この作業が遅れると、ねじ座金部と締め付け面の間に挟持部を挿んで締め付けてしまうことになる。
【００１０】
また、特許文献２に開示された従来技術のように、ビット本体の先端部分に金属製の案内筒を設ける構成では、ねじの頭部を挟み込むように保持するねじ保持具に比べると、ねじの頭部を保持する力が弱く、特に、ねじを上方から保持して下方の被締結物にねじ込む場合、ねじが脱落し易いという問題点があった。
【００１１】
また、案内筒の先端開口面が締め付け面に至ると、ねじの頭部がビットの尖端の係合刃から離れて係合が不完全な状態でねじに対してい締め付け力が与えられ、ねじの締め付け完了時には、ねじ工具係合溝がつぶされる。よって、その状態では、締結されたねじを取り外すことができなかった。
【００１２】
本考案は、上記の事情に鑑みてなされたものであり、その目的とするところは、ねじの脱落を防止して、ねじの取り付け及び取り外し作業を効率良く実行可能とするねじ保持具及びそれを備えたドライバビットを提供することにある。
【課題を解決するための手段】
【００１３】
本考案のねじ保持具は、先端に係合刃が形成されているドライバ軸体に固定されるスプリング固定部材と、前記スプリング固定部材にスプリングを介して連結され前記スプリング固定部材の前記係合刃の方向の前記ドライバ軸体に外嵌されて前記ドライバ軸体の軸方向に移動自在な摺動リング部材と、前記摺動リング部材に対向するよう前記ドライバ軸体に固定される固定リング部材と、前記摺動リング部材と前記固定リング部材との間の前記ドライバ軸体に外嵌され前記ドライバ軸体の軸方向に移動自在且つ回転自在に設けられるアーム支持部材と、前記アーム支持部材に固定され先端近傍がねじの頭部に当接して前記ねじを保持する複数のアーム部材と、を具備し、前記アーム部材は、前記アーム支持部材から前記ドライバ軸体の径方向外側に向かって延出し前記係合刃の方向の斜め内側に向かって湾曲し更に逆方向に湾曲しており前記ねじが締め込まれる被締結物に当接して前記先端近傍が外側に拡張することを特徴とする。
【００１４】
また、本考案のねじ保持具を備えたドライバビットは、一端側に円柱状で先端に前記係合刃を有する前記ドライバ軸体が形成されて前記ねじ保持具が装着され、他端側が六角柱状に形成され電動ドライバのビット支持部に嵌着されることを特徴とする。
【考案の効果】
【００１５】
本考案のねじ保持具によれば、ドライバ軸体に固定されるスプリング固定部材と、スプリング固定部材にスプリングを介して連結されスプリング固定部材の係合刃の方向のドライバ軸体に外嵌されてドライバ軸体の軸方向に移動自在な摺動リング部材と、摺動リング部材に対向するようドライバ軸体に固定される固定リング部材と、摺動リング部材と前記固定リング部材との間のドライバ軸体に外嵌されドライバ軸体の軸方向に移動自在且つ回転自在に設けられるアーム支持部材と、アーム支持部材に固定され先端近傍がねじの頭部に当接してねじを保持する複数のアーム部材と、を具備する。これにより、ドライバ軸体の尖端に係合するねじをアーム部材で挟持して、ねじの脱落を防止することができる。
【００１６】
アーム部材は、アーム支持部材からドライバ軸体の径方向外側に向かって延出し、係合刃の方向の斜め内側に向かって湾曲し、更に逆方向に湾曲している。このような構成により、ドライバ軸体の尖端にねじをセットする作業を容易に行うことができ、ねじが脱落しない安全な締結作業が可能となる。
【００１７】
そして、アーム部材は、ねじが締め込まれる被締結物に当接し先端近傍が弾性変形して外側に開く。これにより作業者は、アーム部材によるねじの保持を容易に解除することができる。また、アーム支持部材は、ねじを締めるドライバ軸体に対して回転自在に設けられているので、被締結物に当接したアーム部材は、ねじの頭部から離れ、ねじ及びドライバ軸体と共に回転することはない。よって、作業者は、締結完了までねじを確実に締め付けることができる。このように、ねじの脱落がない安全で効率の良い締結作業が実現する。
【００１８】
また、被締結物からねじを取り外す際には、アーム部材の先端近傍を被締結物の面に押し当てた状態でドライバ軸体の尖端の係合刃をねじの頭部の係合溝に係合させ、ねじを取り外し方向に回転させることができる。ねじが取り外し方向に移動すると、アーム部材の先端近傍は内側、即ちドライバ軸体の中心軸方向、に移動し、ねじの頭部を挟持してねじの脱落を防止することができる。よって、ねじの取り外しも安全に効率良く行うことができる。
【００１９】
また、本考案のねじ保持具によれば、前記係合刃の方向の端部が開口しており前記スプリング固定部材の方向から前記アーム部材に取り外し自在に外嵌されるカバー部材と、前記ドライバ軸体に固定され前記カバー部材を着脱自在に保持するカバー支持部材と、を具備しても良い。このような構成により、ドライバを使用しない時にはアーム部材にカバー部材を外嵌し、カバー部材でアーム部材を覆うようにして保護することができる。よって、アーム部材が他の工具等に絡むことを防止でき、保管時や準備作業時の工具の取り扱いが容易になる。
【００２０】
また、本考案のドライバビットによれば、一端側に円柱状で先端に前記係合刃を有するドライバ軸体が形成されて前記ねじ保持具が装着され、他端側が六角柱状に形成され電動ドライバのビット支持部に嵌着される。これにより、電動ドライバを使用したねじ締結作業においても、ねじの脱落を防止して、安全且つ高効率な作業を行うことができる。
【図面の簡単な説明】
【００２１】
【図１】本考案の実施形態に係るねじ保持具を備えるドライバの側面図である。
【図２】本考案の実施形態に係るねじ保持具を備えるドライバのアーム部材付近を示す側面図である。
【図３】本考案の実施形態に係るねじ保持具の正面図である。
【図４】本考案の実施形態に係るねじ保持具のアーム支持部材近傍の構成を示す断面図である。
【図５】本考案の実施形態に係るねじ保持具を備えるドライバのねじを保持した状態を示す側面図である。
【図６】本考案の実施形態に係るねじ保持具を備えるドライバのねじを締結した状態を示す側面図である。
【図７】本考案の実施形態に係るねじ保持具を備えるドライバの不使用時の状態を示す側面図である。
【図８】本考案の他の実施形態に係るねじ保持具を備えるドライバビットの側面図である。
【図９】本考案の他の実施形態に係るねじ保持具のカバー部材の斜視図である。
【図１０】本考案の他の実施形態に係るねじ保持具を備えるドライバビットの不使用時の状態を示す側面図である。
【考案を実施するための形態】
【００２２】
以下、本考案の実施形態に係るねじ保持具１０を備えるドライバ１及びドライバビット１０１を図面に基づき詳細に説明する。
図１は、本考案の実施形態に係るねじ保持具１０を備えるドライバ１の概略構成を示す側面図である。
【００２３】
図１に示すように、ねじ保持具１０は、ねじ３０を締結する工具として一般的に用いられているドライバ１に取り付けられ、ねじ３０の脱落を防止するものである。ドライバ１は、ドライバ軸体２の先端に略十字状の係合刃３が形成されたいわゆるプラスドライバであるが、略一直線状の係合刃３が形成された図示しないマイナスドライバでも良い。ねじ保持具１０は、ドライバ軸体２の尖端の係合刃３近傍に設けられてねじ３０を保持するアーム部材としてのアーム１６と、不使用時にアーム１６に嵌められるカバー部材としてのカバー２０と、を有する。
【００２４】
図２は、ねじ保持具１０を備えるドライバ１のアーム１６付近を示す側面図である。
図２に示すように、ねじ保持具１０は、ドライバ軸体２に固定されるスプリング固定部材１２と、スプリング部材としてのスプリング１１と、スプリング１１を介してスプリング固定部材１２に連結された摺動リング部材としての摺動リング１３と、ドライバ軸体２に固定される固定リング部材としての固定リング１４と、摺動リング１３と固定リング１４との間に回転自在に設けられるアーム支持部材１５と、アーム支持部材１５に設けられる複数のアーム１６と、を有する。
【００２５】
スプリング固定部材１２は、スプリング１１を保持する部材であり、例えば環状に形成され、ドライバ軸体２に外嵌されて図示しない六角穴付止ねじ等によってドライバ軸体２に固定されている。スプリング固定部材１２には、ドライバ軸体２に嵌められるスプリング１１の一端が固定されている。
【００２６】
スプリング１１は、アーム支持部材１５をドライバ軸体２の尖端方向、即ち係合刃３の方向、に押圧するバネである。スプリング１１の一端はスプリング固定部材１２に固定されており、係合刃３の方向の他端は、ドライバ軸体２に外嵌された摺動リング１３に固定されている。
【００２７】
摺動リング１３は、スプリング固定部材１２の係合刃３の方向のドライバ軸体２に外嵌されており、スプリング１１を介してスプリング固定部材１２に連結されている。摺動リング１３は、例えば環状の形態を成し、ドライバ軸体２の軸方向に摺動自在である。
【００２８】
摺動リング１３の係合刃３の方向には、摺動リング１３に対向するようドライバ軸体２に固定される固定リング１４が設けられている。固定リング１４は、例えば環状の形態を成し、ドライバ軸体２に外嵌され、図示しない六角穴付止ねじ等によってドライバ軸体２に固定されている。
【００２９】
なお、固定リング１４は、ドライバ軸体２に対して軸方向の位置を変更自在に固定されている。このように、スプリング１１に押圧されドライバ軸体２の軸方向に移動自在な摺動リング１３と、ドライバ軸体２に対して軸方向の位置を変更自在に固定されている固定リング１４と、の間にアーム支持部材１５が設けられることにより、アーム１６の位置をねじ３０（図１参照）のサイズや形状に対応する好適な位置に調整することができる。よって、サイズや形式の異なる各種のねじ３０に対して脱落のない安全な締結作業を行うことができる。
【００３０】
アーム支持部材１５は、前述のとおりアーム１６を支持する部材であり、摺動リング１３と固定リング１４との間のドライバ軸体２に外嵌されている。詳しくは、アーム支持部材１５は、略環状の形態を成し、ボビン１９を介してドライバ軸体２に外嵌され、ドライバ軸体２の軸方向に摺動自在且つ回転方向に摺動自在に設けられている。
【００３１】
ねじ保持具１０は、アーム支持部材１５と、アーム支持部材１５に固定され先端近傍がねじ３０の頭部３１（図１参照）に当接してねじ３０を保持する複数のアーム１６と、を具備する。これにより、ドライバ軸体２の尖端に係合するねじ３０をアーム１６で挟持して、ねじ３０の脱落を防止することができる。
【００３２】
アーム支持部材１５には、例えば溶接やロー付け等により、複数のアーム１６が固定されている。アーム１６は、例えば略棒状若しくは略平板状の鋼材等から弾性変形自在に形成されている。
【００３３】
具体的には、アーム１６は、その一端近傍がアーム支持部材１５の外周部近傍に固定されており、アーム支持部材１５の外周部近傍からドライバ軸体２の径方向外側に向かって延出している。そして、アーム１６のドライバ軸体２の径方向外側に向かって延在した先には、係合刃３の方向の斜め内側に向かって湾曲する外湾曲部１７が形成されている。即ち、アーム１６は、ドライバ軸体２の径方向外側に向かって延出し、その先の外湾曲部１７において、ドライバ軸体２の尖端の方向に向かって湾曲している。
【００３４】
更に、外湾曲部１７の先においては、ドライバ軸体２の径方向外側に向かうよう外湾曲部１７とは逆曲げ方向に湾曲する内湾曲部１８が形成されている。そして、内湾曲部１８の更に先端方向は、内湾曲部１８と同一曲げ方向に湾曲して略輪状に形成されている。
【００３５】
換言すれば、外湾曲部１７は、アーム１６がドライバ軸体２の径方向外側に膨らむような形態を成し、内湾曲部１８は、アーム１６が内側に凹むよう外湾曲部１７よりも小径に湾曲している。アーム１６は、略チューリップ形状に形成されており、そのチューリップ形状の内湾曲部１８近傍の内側にドライバ軸体２の尖端の係合刃３が位置する。このような形態のアーム１６を備えることにより、ねじ３０を好適に保持することができ、また、ねじ３０の保持及びその解除も容易である。
【００３６】
図３は、ねじ保持具１０のアーム１６近傍を示す正面図であり、ねじ保持具１０をドライバ軸体２の尖端方向から見た図である。
図３に示すように、ねじ保持具１０は、３本のアーム１６を有する。アーム１６の本数はこれに限定されるものではないが、ねじ３０（図５参照）を保持する作業の効率及び安全性の観点から、３本が最も好ましい。
【００３７】
このような構成により、図１に示す如く、ドライバ軸体２の尖端にねじ３０を好適に保持することができる。また、ねじ３０をドライバ１の係合刃３にセットする作業及び係合刃３から取り外す作業も容易且つ安全に行うことできる。
【００３８】
図４は、ねじ保持具１０のアーム支持部材１５近傍の構成を示す断面図である。
図４に示すように、アーム支持部材１５は、アーム１６を支持する部材であり、摺動リング１３と固定リング１４との間に、ボビン１９を介してドライバ軸体２に外嵌されている。
【００３９】
ボビン１９は、例えば合成樹脂材料等から形成され、アーム支持部材１５をドライバ軸体２に対して軸方向に移動自在且つ回転自在に支持する部材である。即ち、ボビン１９は、ドライバ軸体２に対して軸方向に摺動自在であり且つ回転方向に摺動自在である。また、アーム支持部材１５は、ボビン１９に対して摺動回転自在である。このようなボビン１９が設けられることにより、ドライバ軸体２に対するアーム支持部材１５の摺動抵抗が小さくなりアーム部の移動が容易になる。
【００４０】
図５は、ねじ保持具１０を備えるドライバ１のねじ３０を保持した状態を示す側面図である。
図５を参照して、ねじ３０を締める工程においては、ねじ３０の頭部３１の係合溝３２にドライバ１の係合刃３が係合し、３本のアーム１６によってねじ３０の頭部３１近傍が挟持される。前述のとおり、ねじ３０をドライバ１に保持させる作業は容易である。
【００４１】
そして、作業者はドライバ１の把持部４（図１参照）を持ってねじ３０を被締結物３５に締め付ける。この時アーム１６は、ねじ３０を保持した状態で、ねじ３０及びねじ３０に係合したドライバ軸体２と共に回転する。これにより、ねじ３０が脱落しない安全な締結作業が行われる。
【００４２】
図６は、ねじ保持具１０を備えるドライバ１のねじ３０を締結した状態を示す側面図である。
ねじ３０の締め込みが進められると、アーム１６の先端近傍は、ねじ３０が締め込まれる被締結物３５に当接する。そして、アーム１６は、弾性変形して、先端近傍が被締結物３５の面に沿って外側、即ちドライバ軸体２の径方向外側、に開く。これにより、アーム１６によるねじ３０の保持が解除される。このようにアーム１６によるねじ３０の保持を容易に解除することができる。
【００４３】
また、アーム支持部材１５は、ねじ３０を締めるドライバ軸体２に対して回転自在に設けられているので、被締結物３５の面に当接したアーム１６は、ねじ３０の頭部３１から離れ、ねじ３０及びドライバ軸体２と共に回転することはない。
【００４４】
即ち、アーム１６が被締結物３５の面に当接して回転していない状態で、アーム支持部材１５に対して摺動するようドライバ軸体２を回転させ、尖端の係合刃３に係合保持されているねじ３０を回転させることができる。よって、締結完了までねじ３０を確実に締め付けることができる。このように、ねじ３０の脱落がない安全で効率の良い締結作業が実現する。
【００４５】
また、被締結物３５からねじ３０を取り外す際には、アーム１６の先端近傍を被締結物３５の面に押し当てた状態でドライバ軸体２の尖端の係合刃３をねじ３０の頭部３１の係合溝３２に係合させ、ねじ３０を取り外し方向に回転させることができる。このような状態においても、アーム１６を回転させずにドライバ軸体２及びねじ３０を回転することができるので、被係合物の面をアーム１６の回転により傷つけることがない。
【００４６】
そして、ドライバ１が更に回されて、ねじ３０が取り外し方向に移動してくると、アーム１６の先端近傍は内側、即ちドライバ軸体２の中心軸方向、に移動し、図５に示す如く、ねじ３０の頭部３１を挟持してねじ３０の脱落を防止することができる。よって、作業者は、ねじ３０の取り外しも安全に効率良く行うことができる。
【００４７】
図７は、ねじ保持具１０を備えるドライバ１の不使用時の状態を示す側面図である。
図１及び図７を参照して、ねじ保持具１０は、不使用時にアーム１６を収容して保護するカバー２０を有する。カバー２０は、例えば透明な合成樹脂材料等から形成された略円筒状の部材である。
【００４８】
ドライバ１をねじ締結作業に使用しない場合には、図７に示すように、アーム１６にカバー２０が嵌められる。具体的には、カバー２０は、係合刃３の方向の端部が開口しており、スプリング固定部材１２の方向からアーム１６に取り外し自在に外嵌される。これにより、ドライバ１を使用しない時にはアーム１６にカバー２０を外嵌し、カバー２０でアーム１６を覆うようにして保護することができる。よって、アーム１６が他の工具等に絡むことを防止でき、保管時や準備作業時の工具の取り扱いが容易になる。
【００４９】
図１に示すように、ねじ保持具１０は、ドライバ軸体２に固定されカバー２０を着脱自在に保持するカバー支持部材２５を有する。作業者がドライバ１を使用してねじ３０を締結する作業を行う場合には、カバー２０は、アーム１６から外されカバー支持部材２５に支持される。これにより、アーム１６は周囲が開放されドライバ軸体２の径方向に弾性変形自在となって、ねじ３０を保持することができる。
【００５０】
カバー支持部材２５の形態は、カバー２０を着脱自在に支持できるものであれば良く、例えば、ドライバ軸体２に外嵌固定される部材であって、カバー２０を外嵌して着脱自在に固定できる程度の外径に形成された略円筒状の部材であっても良い。
【００５１】
また、カバー２０及びカバー支持部材２５の少なくとも一方には、カバー２０を保持するための図示しない係合支持部等が形成されていても良い。係合支持部は、例えば、カバー支持部材２５の外周部に形成されカバー２０の内周部に当接する凸形状や、鍵状に係合する凸形状と凹形状等であっても良い。
【００５２】
次に、図８ないし図１０を参照して、実施形態を変形した例として、ドライバビット１０１について詳細に説明する。なお、既に説明した実施形態と同一若しくは同様の作用、効果を奏する構成要素については、同一の符号を付し、その説明を省略する。
【００５３】
図８は、本考案の他の実施形態に係るねじ保持具１１０を備えるドライバビット１０１の側面図である。
図８に示すように、ドライバビット１０１には、ねじ３０（図５参照）を挟持して脱落を防止するねじ保持具１１０が設けられている。ドライバビット１０１は、一端側に略円柱状のドライバ軸体２が形成されており、他端側に略六角柱状の六角軸体１０２が形成されている。
【００５４】
ドライバ軸体２の先端には、ねじ３０の頭部３１（図５参照）の係合溝３２（図５参照）に係合する係合刃３が形成されている。他端側の六角軸体１０２には環状のビット支持溝１０３が形成されており、六角軸体１０２は図示しない電動ドライバのビット支持部に嵌着される。
【００５５】
そして、ドライバ軸体２には、ねじ締結作業時にねじ３０を保持して脱落を防止するアーム１６を有するねじ保持具１１０が取り付けられている。ねじ保持具１１０の基本的な構成は、既に説明したねじ保持具１０（図２参照）と略同様である。
【００５６】
スプリング固定部材１１２は、既に説明したスプリング固定部材１２（図２参照）と略同様の部材であり、略円板状の形態を成し、その外径は、略円筒状の形態を成すカバー１２０の内径と略同等である。よって、スプリング固定部材１１２には、カバー１２０が摺動可能に外嵌され、スプリング固定部材１１２は、ドライバビット１０１の使用時及び不使用時において、カバー１２０を安全に支持することができる。
【００５７】
なお、スプリング固定部材１１２の外周部及びカバー１２０の内周部には、ドライバビット１０１使用時にカバー１２０を作業に適した所定の位置に保持する位置決め凸部若しくは凹部等が形成されても良い。これにより、作業時にはカバー１２０によってアーム１６の変形が妨げられることなく、作業者は安全な作業を行うことができる。
【００５８】
六角軸体１０２には、カバー１２０を着脱自在に支持するカバー支持部材１２５が固定されている。カバー支持部材１２５は、例えば略円板状の形態を成し、その中心軸が六角軸体１０２の中心軸と同軸になるよう六角軸体１０２に外嵌固定されている。
【００５９】
カバー支持部材１２５には、そのドライバ軸体２方向の面から突出する係合凸部２６が形成されている。係合凸部２６は、例えば側面視略Ｔ字形状の形態を成し、後述するカバー１２０の係合孔部２３に係合する。
【００６０】
カバー１２０の六角軸体１０２側の端部には、カバー支持部材１２５に当接して着脱自在に固定される支持部２１が設けられている。支持部２１は、例えば略円板状の形態を成し、その外周部近傍は、略円筒状の形態を成すカバー１２０の周面端部近傍に固定されている。
【００６１】
図９は、ねじ保持具１１０のカバー１２０を背面側から見た斜視図である。
図９に示すように、カバー１２０の支持部２１には、ドライバビット１０１の六角軸体１０２（図８参照）が挿入される軸孔２２が形成されている。軸孔２２は、カバー１２０が六角軸体１０２を中心として回動自在且つ軸方向に摺動自在となるよう支持部２１の中心に円形状に形成された孔である。
【００６２】
カバー１２０の支持部２１には、係合孔部２３が形成されている。係合孔部２３には、カバー支持部材１２５（図１０参照）に形成された略Ｔ字形状の係合凸部２６（図１０参照）が挿入される。係合凸部２６が挿入された状態においてカバー１２０が回動されることにより、係合凸部２６が係合孔部２３に係合し、カバー１２０はカバー支持部材１２５から外れないように保持される。
【００６３】
このような構成により、ドライバビット１０１を使用する際には、カバー１２０をアーム１６（図８参照）から外し、係合凸部２６を係合孔部２３に挿入してカバー１２０の支持部２１をカバー支持部材１２５に当接させ、係合凸部２６と係合孔部２３を係合してカバー１２０を安全に支持することができる。よって、カバー１２０でアーム１６の変形が妨げられることなく、作業者は安全な作業を効率良く実行することができる。
そして作業者は、ドライバビット１０１を使用しない際には、係合凸部２６と係合孔部２３の係合を解いてカバー１２０をカバー支持部材１２５から容易に取り外すことができる。
【００６４】
図１０は、ねじ保持具１１０を備えるドライバビット１０１の不使用時の状態を示す側面図である。
図１０に示すように、ドライバビット１０１を使用しない際には、カバー１２０をアーム１６に外嵌し、カバー１２０でアーム１６を覆うことができる。これにより、アーム１６が他の工具等と絡むこともなくなり、ドライバビット１０１の保管やそのための作業等が容易になる。
【００６５】
以上説明の如く、本実施形態に係るドライバビット１０１によれば、電動ドライバを使用したねじ締結作業においても、ねじ３０の脱落を防止して、安全且つ高効率な作業を行うことができる。
【００６６】
なお、本考案は、上記実施形態に限定されるものではなく、その他、本考案の要旨を逸脱しない範囲で、種々の変更実施が可能である。
【符号の説明】
【００６７】
１      ドライバ
２      ドライバ軸体
３      係合刃
４      把持部
１０、１１０   ねじ保持具
１１    スプリング
１２、１１２   スプリング固定部材
１３    摺動リング
１４    固定リング
１５    アーム支持部材
１６    アーム
１７    外湾曲部
１８    内湾曲部
１９    ボビン
２０、１２０   カバー
２１    支持部
２２    軸孔
２３    係合孔部
２５、１２５   カバー支持部材
２６    係合凸部
３０    ねじ
３１    頭部
３２    係合溝
３５    被締結物
１０１  ドライバビット
１０２  六角軸体
１０３  ビット支持溝
【図１】
0003234111.tif 000003
【図２】
0003234111.tif 000004
【図３】
0003234111.tif 000005
【図４】
0003234111.tif 000006
【図５】
0003234111.tif 000007
【図６】
0003234111.tif 000008
【図７】
0003234111.tif 000009
【図８】
0003234111.tif 000010
【図９】
0003234111.tif 000011
【図１０】
0003234111.tif 000012